(57)【要約】      （修正有）【課題】入浴する者の歩行や浴槽への出入り動作をサポートしつつ浴室を広く見せられる、システムバスを提供する。【解決手段】システムバスにおいて、浴室の内壁面２Ａから外側に延設した壁面２３Ｄに板状部材１０が設置されており、板状部材１０の浴室内側の端部に入浴者が把持するための膨出部１１が形成され、膨出部１１は浴室の内壁面２Ａよりも浴室内側に突出し、板状部材１０が設置される壁面が浴槽の長手方向に隣接して配置されており、板状部材１０が横たわって設置されている。【選択図】図４
2016077757.tif 000002
【特許請求の範囲】
【請求項１】
浴室の内壁面から外側に延設した壁面に板状部材が設置され、前記板状部材の浴室内側の端部に入浴者が把持するための膨出部が形成されている、システムバス。
【請求項２】
前記膨出部が前記浴室の内壁面よりも浴室内側に突出している、請求項１に記載のシステムバス。
【請求項３】
前記板状部材が設置される壁面が浴槽の長手方向に隣接して配置されており、前記板状部材が横たわって設置されている、請求項１に記載のシステムバス。
【発明の詳細な説明】
【技術分野】
【０００１】
本発明はシステムバスに係り、詳細には、浴室の内壁面から外側に延設した壁面に手すりの機能を有する部材を取り付けたシステムバスに関する。
【背景技術】
【０００２】
浴室は、建物の躯体内に組み立てられて設けられ、浴槽と洗い場とを備える。特許文献１では、建物の躯体と浴室の側壁との間に出窓用カウンタを設け、出窓用カウンタよりも下側の浴室の側壁に手すりが設けられている。
【先行技術文献】
【特許文献】
【０００３】
【特許文献１】実開平１−１１９７４４号公報
【発明の概要】
【発明が解決しようとする課題】
【０００４】
特許文献１の技術では、出窓用カウンタを設けることで浴室を広く見せるという効果を奏するが、浴室の側壁に手すりを設けることで出窓の効果が発揮され難くなる。また、手すりを別途用意して取り付ける必要があるため、部品点数や取付作業が多くなり、コスト増加を招く。
【０００５】
そこで、本発明は、入浴する者の歩行や浴槽への出入り動作をサポートしつつ浴室を広く見せられる、システムバスを提供することを目的とする。
【課題を解決するための手段】
【０００６】
前記目的を達成するため、本発明のシステムバスは、浴室の内壁面から外側に延設した壁面に板状部材が設置され、前記板状部材の浴室内側の端部に入浴者が把持するための膨出部が形成されている。ここで、浴室の内壁面とは、浴室中央に近い壁面をいい、浴槽に隣接する壁面では浴槽に近接する壁面をいう。浴室の内壁面から外側に延設した壁面とは、浴室の内壁面から外方向に張り出した空間を形成する壁面のうち、浴室の内壁面と交差する面をいう。膨出部とは、板状部材の基部と比べ断面形状が大きい部位をいう。
【０００７】
本発明のシステムバスにおいて、好ましくは、前記膨出部が前記浴室の内壁面よりも浴室内側に突出している。
【０００８】
本発明のシステムバスにおいて、好ましくは、前記板状部材が設置されている壁面が浴槽の長手方向に隣接して配置されており、前記板状部材が横たわって設置されている。
【発明の効果】
【０００９】
本発明によれば、浴室の内壁面から外側に延設した壁面に板状部材が設置され、その板状部材の浴室内側の端部が膨出部を有する。入浴者が膨出部を把持することで、入浴者が浴室内で移動し易くなる。また手すりを別途設ける必要がないため、浴室を広くスッキリ見せることができ、部品点や取付作業が増加しない。
【図面の簡単な説明】
【００１０】
【図１】本発明の実施形態に係るシステムバスを示す斜視図である。
【図２】図１に示すシステムバス内に設置する板状部材を示し、（ａ）は平面図、（ｂ）は正面図、（ｃ）はＡ−Ａ断面図、（ｄ）はＢ−Ｂ断面図である。
【図３】図１におけるＸ−Ｘ線に沿う断面図である。
【図４】図３におけるＣ−Ｃ線に沿う断面図である。
【図５】図１におけるＹ−Ｙ線に沿う断面図である。
【図６】図５におけるＤ−Ｄ線に沿う断面図である。
【図７】図１のシステムバスにおける板状部材の変形例の断面図である。
【発明を実施するための形態】
【００１１】
以下、図面を参照して本発明の実施形態を説明する。本実施形態に係るシステムバス１は、図１に示すように、左の内壁面２Ａと右の内壁面２Ｂと奥の内壁面２Ｃと出入口側となる手前の内壁面（図示せず）とで囲まれている。左の内壁面２Ａに隣接して浴槽３が設置されている。左の内壁面２Ａ側には板状部材１０としての出窓のカウンタ４が設けられ、窓５が浴槽３の長手方向に沿ってスライド可能に取り付けられている。奥の内壁面２Ｃには水栓６やシャワー器具７が取り付けられている。手前の図示しない側には、浴室への出入用扉が設けられ、出入用扉を開くことで洗い場８への出入りができる。奥の内壁面２Ｃには収納部や鏡（図示せず）などが取り付けられる。
【００１２】
図１に示すシステムバス１では、左の内壁面２Ａや右の内壁面２Ｂには外側に延設した壁面に板状部材１０が設置されている。板状部材１０は、図２に示すように、短手方向の一端部に膨出部１１が形成されており、膨出部１１は基部１２と比べて大きいすなわち肉厚の断面形状を有する。例えば、図２（ｂ）に示すように、板状部材１０の表面積が大きい一方の面１３Ａは同一平面となっているのに対して、他方の面１３Ｂは突出して膨出部１１として盛り上がっている。図２（ａ）や図２（ｄ）に示すように、板状部材１０は、短手方向の一端部において、短手方向に延出して張り出しかつ厚みの方向に他方の面１３Ｂから盛り上がっている。板状部材１０の膨出部１１は、長手方向の一端から他端まで全長にわたって設けられている必要はなく、その両側では短手方向及び厚みの方向に突出していなくてもよい。板状部材１０には取付用の孔１４が設けられている。
【００１３】
板状部材１０の左の内壁面２Ａ側への取付形態を説明する。前提として、左の内壁面２Ａ側において板状部材１０が取り付けられる箇所を説明する。左の内壁面２Ａ側では、図３及び図４に示すように、左の内壁面２Ａの外側に建物の外壁パネル２１が設けられ、外壁パネル２１に開口が形成されている。外壁パネル２１の開口縁部には、浴室内側において上下左右に間柱２２が所定の間隔をあけて設けられ、間柱２２により開口が形成されている。外壁パネル２１の浴室内側には左の内壁面２Ａが設けられ、左の内壁面２Ａには、外壁パネル２１の開口に対応して矩形の開口が形成されている。左の内壁面２Ａの開口を形成する各辺は、それぞれ内壁面２Ａを有する矩形の壁の外郭と平行である。また、左の内壁面２Ａの開口は、浴槽３を設置したとき、浴槽３の上縁よりも上方に位置している。左の内壁面２Ａの開口の周縁部と外壁パネル２１の開口の周縁部との間には左右及び上下でそれぞれ縦横の各枠材２３Ａ，２３Ｂ，２３Ｃ，２３Ｄが掛け渡されている。各枠材２３Ａ，２３Ｂ，２３Ｃ，２３Ｄの浴室側の端部は折り曲げられた形状を有しており、各端部が左の内壁面２Ａの開口の周縁部にかぶさり、各枠材２３Ａ，２３Ｂ，２３Ｃ，２３Ｄが左の内壁面２Ａにねじ２４で固定されている。各枠材２３Ａ，２３Ｂ，２３Ｃ，２３Ｄの外壁パネル２１側は間柱２２にねじ２５で固定され、各枠材２３Ａ，２３Ｂ，２３Ｃ，２３Ｄで構成される開口に窓枠２６が固定され、窓２７や網戸２８が取り付けられている。
【００１４】
板状部材１０は図３及び図４に示すように横たわった状態で設置されている。すなわち、板状部材１０の表面積が最大である面と下の枠材２３Ｄの上面とが合わさるように設置されている。板状部材１０は、左右の枠材２３Ａ，２３Ｂに隙間なく収まるように長手方向の寸法に設定されており、板状部材１０が下の枠材２３Ｄの壁面２３に設置されてねじ２９で固定されている。その際、ねじ２９は下の枠材２３Ｄを貫通して間柱２２に達してもよい。板状部材１０はその長手方向が浴槽３の長手方向に隣接している。板状部材１０の膨出部１１は、左右下の枠材２３Ａ，２３Ｂ，２３Ｄの浴室内端や左の内壁面２Ａから浴室側に突出して張り出すように板状部材１０に設置されることが好ましい。また、膨出部１１は、図４に示すように板状部材１０の上下面のうち、片面だけに膨出して設けられてもよい。板状部材１０が横たわった状態で設置されるときには、板状部材１０の上下の面の膨出部１１が上に盛り上がるように、すなわち面１３Ｂが上面となるようにすることが好ましい。入浴者は洗い場８から浴槽３に入る際に膨出部１１を上方から把持し浴槽３に脚を入れて腰を下げることで入浴動作がし易くなる。入浴者が浴槽３から洗い場８に出る動作も容易になる。
【００１５】
図４に示すように、板状部材１０は図１に示す出窓のカウンタ４として機能する。よって、従来のように出窓のカウンタと手すりとを別々に用意して別々に設置する手間がない。また、浴室を広く見せる出窓の効果を小さくしたり失わせたりしない。膨出部１１は、図３及び図４に示すように、下の枠材２３Ｄの浴室内端や左の内壁面２Ａから浴室側に突出して張り出している。これにより、出窓の空間を広く活用することができる。
【００１６】
板状部材１０の長手方向中間部に膨出部１１を設ける一方、その両側には膨出部１１を設けない方が好ましい。図４に示すように下の枠材２３Ｄは浴室内に向かって下方に傾いて設けられている。このため、下の枠材２３Ｄの上に設置された板状部材１０も同じ方向にやや傾斜している。よって、板状部材１０の上に結露水などが付着したとしても、板状部材１０の長手方向両側から水が流れ出るので、板状部材１０上に水が貯まりにくい。
【００１７】
次に、板状部材１０の右の内壁面２Ｂ側への取付形態を説明する。前提として、右の内壁面２Ｂにおいて板状部材１０が取り付けられる箇所を説明する。右の内壁面２Ｂ側は、図５及び図６に示すように、外側壁材３１と内壁面２Ｂとは同一平面に設けられておらず、浴室の奥行き方向及び鉛直方向に沿って外側壁材３１が浴室の外側に配置されている。そのため、右の内壁面２Ｂはその中間部が開口している。右の内壁面２Ｂの開口縁部の裏側には、左右及び上下に枠材３２Ａ，３２Ｂ，３２Ｃ，３２Ｄを組み合わせて矩形の枠部が構成されている。左右及び上下の枠材３２Ａ，３２Ｂ，３２Ｃ，３２Ｄには、右の内壁面２Ｂから外側に延設した左右及び上下の化粧用枠材３３Ａ，３３Ｂ，３３Ｃ，３３Ｄが設置されている。左右及び上下の化粧用枠材３３Ａ，３３Ｂ，３３Ｃ，３３Ｄは水平な基部の両端がそれぞれ上下逆向きに向けて折り曲げられた形状を有しており、その折り折り曲げられた各端部が形成する開口の縁部に外側壁材３１が取り付けられている。右の内壁面２Ｂは、化粧用枠材３３Ａ，３３Ｂ，３３Ｃ，３３Ｄが介在して左右及び上下の枠材３２Ａ，３２Ｂ，３２Ｃ，３２Ｄにねじ３４で固定されている。外側壁材３１は、化粧用枠材３３Ａ，３３Ｂ，３３Ｃ，３３Ｄを介在して左右及び上下の枠材３２Ａ，３２Ｂ，３２Ｃ，３２Ｄにねじ３５で固定されている。
【００１８】
板状部材１０は、図５及び図６に示すように、取付箇所となる左右の化粧用枠材３３Ａと３３Ｂとの間に隙間なく収まるように長手方向の寸法が設定されており、下の化粧用枠材３３Ｄの壁面３３に設置され、ねじ３６で固定されている。板状部材１０の膨出部１１は、左右下の化粧用枠材３３Ａ，３３Ｂ，３３Ｄの浴室内端や右の内壁面２Ｂから浴室内に突出して張り出すように設置されている。膨出部１１は、図６に示すように板状部材１０の上下面のうち、片面だけに膨出してもよい。板状部材１０が横たわった状態で設置されるときには、板状部材１０の上下の面の膨出部１１が上に盛り上がるように、すなわち、面１３Ｂが上面となるようにすることが好ましい。図１の手前側に浴室への出入用扉（図示せず）が設けられている。これにより、入浴者が膨出部１１を上方から把持して浴室に入ったり浴室から出たりし易くなる。
【００１９】
板状部材１０を洗い場８に面する右の内壁面２Ｂから外側に延びる壁面３３に設置することで、右の内壁面に手すりを別途取り付ける必要がなく、浴室内に大きな出っ張りをなくすことができ、浴室を広く見せることができる。
【００２０】
本発明の実施形態において、板状部材１０の膨出部１１の形状は板状部材１０の設置場所に応じて適宜変更してもよい。板状部材１０の膨出部１１Ａは、図７に示すように、厚み方向の両側に突出するよう張り出してもよい。図７に示す断面形状を有する板状部材１０は、図１に示すように右の内壁面２Ｂの左の化粧用枠材３３Ｂの壁面に縦方向に設けることにより、入浴者が上下動する際、サポートとすることができる。
【符号の説明】
【００２１】
１：システムバス，２Ａ，２Ｂ：内壁面，３：浴槽，２３Ｄ：下の枠材，３３Ｄ：下の化粧用枠材，２３，３３：壁面，１０：板状部材，１１，１１Ａ：膨出部
【図１】
2016077757.tif 000003
【図２】
2016077757.tif 000004
【図３】
2016077757.tif 000005
【図４】
2016077757.tif 000006
【図５】
2016077757.tif 000007
【図６】
2016077757.tif 000008
【図７】
2016077757.tif 000009